(57)【要約】      （修正有）【課題】紙タブ部材を引き剥がすときに，紙タブ部材をつまみやすくして，これにより開封性を向上する。【解決手段】紙タブ部材21は，開口が形成された飲料用紙容器１とともに用いられ，上記容器１の外面において上記開口の周囲の全体に接着されて上記開口を塞ぐものである。紙タブ部材21には未接着の摘み部21Ａが設けられており，上記未接着の摘み部21Ａの先端縁21Ｂが上記容器１の外面から離れる向きに凸状に湾曲している。【選択図】図３
2015199531.tif 000002
【特許請求の範囲】
【請求項１】
開口が形成された容器とともに用いられ，上記容器の外面において上記開口の周囲の全体に接着されて上記開口を塞ぐ紙タブ部材であって，
先端部に未接着の摘み部が設けられており，上記未接着の摘み部の先端縁が上記容器の外面から離れる向きに凸状に湾曲している，
紙タブ部材。
【請求項２】
上記未接着の摘み部に，上記紙タブ部材の引き剥がし方向に沿って一または複数の押し罫が入れられている，請求項１に記載の紙タブ部材。
【請求項３】
上記押し罫が，上記未接着の摘み部の両側部を除く範囲に入れられている，請求項２に記載の紙タブ部材。
【請求項４】
上記紙タブ部材の引き剥がし方向を長手方向とする長方形の形状を備えている，請求項１から３のいずれか一項に記載の紙タブ部材。
【請求項５】
開口が形成された容器とともに用いられ，上記容器の外面において上記開口の周囲の全体に接着されて上記開口を塞ぐ紙タブ部材であって，
先端部に未接着の摘み部が設けられており，少なくとも上記未接着の摘み部の内面がわに熱可塑性樹脂が積層されており，
上記未接着の摘み部の先端縁が上記容器の外面から離れる向きに凸状に湾曲している，
紙タブ部材。
【請求項６】
上記未接着の摘み部に積層された熱可塑性樹脂の一部が収縮している，
請求項５に記載の紙タブ部材。
【請求項７】
未接着の摘み部を含む紙タブ部材の全体の内面がわに熱可塑性樹脂が積層されている，
請求項５または６に記載の紙タブ部材。
【請求項８】
上記未接着の摘み部の内面がわの最外層に抗ヒートシール剤が積層されている，
請求項５から７のいずれか一項に記載の紙タブ部材。
【請求項９】
上記未接着の摘み部に積層された熱可塑性樹脂が上記紙タブ部材の引き剥がし方向にのびる収縮筋を有し，上記収縮筋に向けて収縮している，
請求項５から８のいずれか一項に記載の紙タブ部材。
【請求項１０】
上記未接着の摘み部の両側部に，上記熱可塑性樹脂が収縮していない非収縮範囲が設けられている，請求項５から９のいずれか一項に記載の紙タブ部材。
【請求項１１】
上記未接着の摘み部に，上記紙タブ部材の引き剥がし方向に沿って一または複数の押し罫が形成されている，
請求項５から１０のいずれか一項に記載の紙タブ部材。
【請求項１２】
上記押し罫が，上記未接着の摘み部の両側部を除く範囲に入れられている，請求項１１に記載の紙タブ部材。
【請求項１３】
開口が形成されており，上記開口が請求項１から１２のいずれか一項に記載の紙タブ部材によって塞がれている，
容器。
【発明の詳細な説明】
【技術分野】
【０００１】
この発明は，紙タブ部材およびこれを備えた容器に関する。
【背景技術】
【０００２】
天部にあけられた飲み口をタブ部材によって封止した飲料用紙容器が知られている。タブ部材を天部から引き剥がすことで飲み口が開封される。
【０００３】
タブ部材の全体が容器天部に接触していると，タブ部材の縁部に爪や指をかけにくいためにタブ部材をつまみにくい。特許文献１は，タブ部材を引き剥がすときにタブ部材をつまみやすくするために，タブ部材に孔を形成したもの，切り起しを形成したものを記載する。
【先行技術文献】
【特許文献】
【０００４】
【特許文献１】実開平４−１０６２２４号公報
【０００５】
しかしながら，飲み口を封止するタブ部材は比較的小さい（面積が狭い）ので，タブ部材に孔を形成したり，大きな切り起しを形成するのは難しい。またタブ部材は一般に薄いシートで作られるから，しっかりとした，安定した切起しをタブ部材に形成するのは困難である。
【発明の開示】
【０００６】
この発明は，タブ部材をさらにつまみやすくして，これによりタブ部材を引き剥がすときの開封性を向上することを目的とする。
【０００７】
この発明は，タブ部材，特に紙を基材とする紙タブ部材を提供するものである。第１の発明による紙タブ部材は，開口が形成された容器とともに用いられ，上記容器の外面において上記開口の周囲の全体に接着されて上記開口を塞ぐものであって，先端部に未接着の摘み部が設けられており，上記未接着の摘み部の先端縁が上記容器の外面から離れる向きに凸状に湾曲していることを特徴とする。凸状湾曲は，摘み部の先端縁がその全体にわたって凸状に湾曲するものであってもよいし，摘み部の先端縁の左右の両側部が容器の外面から離れる向きに立ち上がっており，摘み部の先端縁の両側部の間の部分が容器の外面とほぼ平行に離間していてもよい。
【０００８】
この発明による紙タブ部材は，開口が形成された容器とともに用いられるもので，容器に形成された開口を塞ぐ（閉じる）ものである。開口を塞ぐために，紙タブ部材は容器の外面において開口の周囲の全体に接着される。開口を塞ぐ紙タブ部材の先端部に未接着の摘み部が設けられており，この未接着の摘み部の先端縁が上記容器の外面から離れる向きに凸状に湾曲している（撓んでいる）。摘み部の先端縁の湾曲によって摘み部の先端縁と容器の外面との間にすき間が確保されるから，摘み部の先端縁に爪ないし指先をかけやすく，めくりやすい。めくれた摘み部はその後に簡単に指でつまむことができるから，開封作業（紙タブ部材の引き剥がし）が容易になる。
【０００９】
一実施態様では，上記未接着の摘み部に，上記紙タブ部材の引き剥がし方向に沿って一または複数の押し罫が入れられている。紙タブ部材の引き剥がし方向に沿って入れられた押し罫に沿って摘み部は湾曲しやすくなるから，未接着の摘み部の先端縁を湾曲しやすくすることができる。
【００１０】
上記押し罫は，一実施態様では，上記未接着の摘み部の両側部を除く範囲に入れられている。両側部を除く範囲に押し罫を入れることで，未接着の摘み部の先端縁に均整のとれた湾曲形状が形付けられやすくなる。
【００１１】
紙タブ部材は，たとえば上記紙タブ部材の引き剥がし方向を長手方向とする長方形の形状を備えている。紙タブ部材の長手方向に直交する方向（短手方向）の先端縁に上述した湾曲が形成される。
【００１２】
第２の発明による紙タブ部材は，開口が形成された容器とともに用いられ，上記容器の外面において上記開口の周囲の全体に接着されて上記開口を塞ぐものであって，先端部に未接着の摘み部が設けられており，少なくとも上記未接着の摘み部の内面がわに熱可塑性樹脂が積層されており，上記未接着の摘み部の先端縁が上記容器の外面から離れる向きに凸状に湾曲していることを特徴とする。
【００１３】
第２の発明によると，未接着の摘み部の内面がわに熱可塑性樹脂が積層されているので，この熱可塑性樹脂を，未接着の摘み部の先端縁を湾曲させるために用いることができる。
【００１４】
熱可塑性樹脂としては，好ましくはポリオレフィン系樹脂，たとえばポリエチレン（ＰＥ）が用いられる。
【００１５】
未接着の摘み部を加熱すると，摘み部に積層されている熱可塑性樹脂が収縮する。この熱可塑性樹脂の収縮作用を，未接着の摘み部の先端縁を湾曲させるために用いることができる。すなわち，一実施態様では上記未接着の摘み部に積層された熱可塑性樹脂の一部が収縮している。
【００１６】
未接着の摘み部を含む紙タブ部材の全体の内面がわに熱可塑性樹脂を積層してもよい。この場合，熱可塑性樹脂を，容器の外面に紙タブ部材を熱溶着するために用いることができる。すなわち，紙タブ部材の内面がわに積層された熱可塑性樹脂は，紙タブ部材を容器の外面に接着するために用いられ，かつ未接着の摘み部を湾曲させるためにも用いられる。
【００１７】
第２の発明においても，未接着の摘み部の先端縁が上記容器の外面から離れる向きに湾曲しているので，摘み部の先端縁と容器の外面との間にすき間が確保され，摘み部の先端縁に爪ないし指先をかけやすく，めくりやすい。めくれた摘み部はその後に簡単に指でつまむことができるから，開封作業（紙タブ部材の引き剥がし）が容易になる。
【００１８】
たとえば，摘み部を加熱しつつも容器の外面に押圧しないようにすることで，内面がわに熱可塑性樹脂が積層されている摘み部を，容器の外面に接着させないようにすることができる。未接着の摘み部の内面がわの最外層に抗ヒートシール剤を設けてもよい。この場合には摘み部を加熱しかつ押圧しても，摘み部が容器の外面に接着されてしまうことが防止される。
【００１９】
一実施態様では，上記未接着の摘み部に積層された熱可塑性樹脂が上記紙タブ部材の引き剥がし方向にのびる収縮筋を有しており，上記収縮筋に向けて収縮している。摘み部に積層された熱可塑性樹脂に紙タブ部材の引き剥がし方向にのびる収縮筋を設けるには，上記未接着の摘み部を上記紙タブ部材の引き剥がし方向に筋状に加熱すればよい。引き剥がし方向にのびる収縮筋に向かう収縮力，すなわち引き剥がし方向に垂直な方向に働く収縮力が大きく作用することで，摘み部の先端縁が湾曲しやすくなる。引き剥がし方向にのびる熱可塑性樹脂の収縮筋は摘み部に複数設けてもよい。
【００２０】
他の実施態様では，上記未接着の摘み部の両側部に，上記熱可塑性樹脂が収縮していない非収縮範囲が設けられている。未接着の摘み部の両側部を加熱しないことで，摘み部の両側部に非収縮範囲を設けることができ，これによって摘み部の両側部は湾曲しない。これにより摘み部の両側部を斜めに立ち上がらせることができる。均整のとれた湾曲形状を形成することができる。
【００２１】
第２の発明による紙タブ部材についても，一実施態様では，上記未接着の摘み部に，上記紙タブ部材の引き剥がし方向に沿って一または複数の押し罫が形成されている。未接着の摘み部の先端縁を湾曲しやすくすることができる。さらに上記押し罫を未接着の摘み部の両側部を除く範囲に入れておくことで，均整のとれた湾曲形状が形成されやすくなる。
【００２２】
この発明は，開口が形成されており，上記開口が上述した第１または第２の発明による紙タブ部材によって塞がれている容器も提供する。この発明の容器は，紙製容器，樹脂製容器，金属製容器など，様々な素材の容器を含む。容器に形成される開口は，典型的には容器の天部に形成される。もっとも容器の側面部に形成された開口を紙タブ部材によって塞いでもよい。
【図面の簡単な説明】
【００２３】
【図１】飲料用紙容器の斜視図である。
【図２】飲料用紙容器の平面図である。
【図３】飲料用紙容器の天部の拡大斜視図である。
【図４】図３のIV−IV線に沿う紙タブ部材の摘み部の端面図である。
【図５】変形例を示すもので，飲料用紙容器の天部の拡大斜視図である。
【実施例】
【００２４】
図１は飲料用容器の斜視図である。図２は飲料用容器の平面図である。
【００２５】
飲料用容器１は，円筒状の胴部11と，胴部11の上端を閉じる円形の天部12と，胴部11の下端を閉じる円形の底部13から構成されている。胴部11，天部12および底部13はたとえば紙を主成分とし，内面にポリエチレン（ＰＥ）が積層されたものであり，水密性を持つ。外面にポリエチレン，アルミニウム（ＡＬ）等を積層してもよい。たとえば，内面から外面に向けてポリエチレン，紙，ポリエチレン，アルミニウムおよびポリエチレンをこの順番に積層した積層構造のものが用いられる。天部12は胴部11の上縁よりもやや下側に位置しており，天部12の周囲は胴部11の上端部（周壁）11Ａによって囲まれている。
【００２６】
天部12には飲み口（ストロー差し込み開口）14があけられている。飲み口14は，平面からみてしずく形（ティアドロップ形）に，すなわち天部12の中心に向かって先細に形成されている。天部12にあけられた飲み口14が長方形の紙タブ部材21によって塞がれている。
【００２７】
紙タブ部材21は紙を基材とするもので，その内面に熱可塑性樹脂，好ましくはポリオレフィン系樹脂（たとえばポリエチレン（ＰＥ））が積層されたものである。紙タブ部材21の内面に積層された熱可塑性樹脂を用いた熱溶着によって，紙タブ部材21は天部12の外面に接着される。紙タブ部材21と天部12との接着範囲31が図２に一点鎖線によって示されている。すなわち，紙タブ部材21は，その接着範囲31が加熱されかつ天部12の外面に向けて押圧されることで天部12の外面に接着する。紙タブ部材21の接着範囲31は，天部12にあけられた飲み口14の周囲の全体を取り囲み，かつ先細の飲み口14と同じ向きに先細に設けられる。熱溶着に代えて接着剤を用いて紙タブ部材21を天部21に接着することもできる。
【００２８】
紙タブ部材21の先端部分には，天部12の外面に接着されていない未接着範囲が存在する。以下，紙タブ部材21の未接着の先端部分を「摘み部21Ａ」と呼ぶ。
【００２９】
図３は飲料用容器１の天部12の拡大斜視図である。図４は図３のIV−IV線に沿う紙タブ部材21の摘み部21Ａの端面図である。図４において，分かりやすくするために，各層の厚さがかなり強調して描かれている。
【００３０】
上述したように，紙タブ部材21はその接着範囲31が加熱されかつ押圧されることで天部12の外面に接着（熱溶着）される。他方，紙タブ部材21の未接着の摘み部21Ａは天部12の外面に熱溶着はされないが，加熱は行われる。図３において未接着の摘み部21Ａの加熱箇所が実線Ｈ１で示されている。図３に示す態様では，摘み部21Ａの先端部分は，紙タブ部材21の引き剥がし方向（摘み部21Ａと飲み口14とを結ぶ方向，長方形の紙タブ部材21の長手方向）に沿う方向に筋状（線状）に，かつ互いに間隔をあけて複数箇所，同じ長さで加熱されている。
【００３１】
摘み部21Ａを紙タブ部材21の引き剥がし方向に沿って筋状に加熱するのは，未接着の摘み部21Ａの先端縁21Ｂを，天部12の外面から離れる向きに凸状に湾曲させる（撓ませる）ためである。図４を参照して，摘み部21Ａの内面には熱可塑性樹脂23が積層されているので，摘み部21Ａが加熱されると加熱された箇所の熱可塑性樹脂が収縮する。紙タブ部材21の引き剥がし方向に沿って筋状に摘み部21Ａを加熱することで，引き剥がし方向にのびる筋状の加熱箇所Ｈ１に対応する位置の筋状の熱可塑性樹脂23が大きく収縮するから，熱可塑性樹脂23の筋状の収縮箇所（以下，収縮筋という）に向かう収縮力（引っ張り力），すなわち紙タブ部材21の短手方向（引き剥がし方向に垂直な方向）に沿う方向の収縮力が大きく作用し，これによって摘み部21Ａはその先端縁21Ｂが外向きに湾曲するように変形する。より正確に表現すると，加熱箇所Ｈ１を加熱してその後しばらく時間が経過することで（自然冷却を経ることで）熱可塑性樹脂23の筋状の収縮が生じ，これに伴って摘み部21Ａの先端縁21Ｂが湾曲し，摘み部21Ａの先端縁21Ｂは天部12の外面から離れてその状態をとどめる。
【００３２】
単純には上記摘み部21Ａ（紙タブ部材21）を，外面がわの紙基材22と内面がわの熱可塑性樹脂23の二層構造とすることができる。もっとも，上述した熱収縮作用による摘み部21Ａの先端縁21Ｂの凸状の湾曲（撓み）の実現はこの二層構造に限られるものではない。たとえば，外面がわから内面がわにかけて，収縮率が低い熱可塑性樹脂層／紙／収縮率が高い熱可塑性樹脂層の三層構造としてもよい。
【００３３】
図３を参照して，未接着の摘み部21Ａの先端部分の両側部は加熱されていない。摘み部21Ａの両側部を加熱しないことで，摘み部21の両側部に積層されている熱可塑性樹脂23は収縮せず，したがって摘み部21Ａの両側部は湾曲しない（撓まない）。これにより摘み部21Ａの両側部を撓ませずに斜めに立ち上がらせることができる（図４参照）。両側部が天部12の外面から斜めに立ち上がる，均整のとれた湾曲形状を形成することができる。
【００３４】
図４に示すように，好ましくは，未接着の摘み部21Ａの内面がわの最外層（熱可塑性樹脂23の下層）には抗ヒートシール剤24，たとえばフッ素系樹脂，シリコーン樹脂等が塗布される。すなわち，未接着の摘み部21Ａは，紙基材22，熱可塑性樹脂23および抗ヒートシール剤24が，外面がわから内面がわに向けてこの順番に積層された３層構造を備えている。未接着の摘み部21Ａの内面に抗ヒートシール剤24を積層しておくことで，上述のように加熱される摘み部21Ａが，熱可塑性樹脂23によって天部12の外面に接着されてしまい，上述した摘み部21Ａの先端縁の湾曲形状が形付けられなくなってしまうことを確実に防止することができる。また，抗ヒートシール剤24を積層しておくことで，摘み部21Ａを加熱するときに摘み部21Ａを天部12の外面に押圧しても，摘み部21Ａが天部12の外面に熱溶着されてしまうことがなくなる。なお，紙タブ部材21の摘み部21Ａではない範囲（接着範囲31）には抗ヒートシール剤24は塗布されないのは言うまでもない。
【００３５】
紙タブ部材21の摘み部21Ａの先端縁21Ｂが天部12の外面から離れる向き（外向き）に凸状に湾曲しているので，摘み部21Ａの先端縁21Ｂと天部12との間にすき間が形成される（図１，図２も参照）。摘み部21Ａと天部12との間のすき間から摘み部21Ａの先端縁に容易に爪または指先をかけることができ，摘み部21Ａを簡単にめくることができる。めくれた摘み部21Ａを指でつまみ，飲み口14の向きに引っ張ることで紙タブ部材21は引き剥がされる。紙タブ部材21を天部12の外面に接着する接着範囲31が先細に設けられているので，軽い力で紙タブ部材21の引き剥がしを開始することができる。
【００３６】
図５は変形例を示すもので，紙タブ部材21の摘み部21Ａ上の筋状の複数の加熱箇所Ｈ２が，摘み部21Ａの幅方向の中央部に位置するものが最も長く，中央部から左右の両側部のそれぞれに向かうにしたがって次第に短くなっている。中央部の加熱箇所Ｈ２ほど熱可塑性樹脂23の収縮力が大きくなるので，摘み部21Ａの先端縁21Ｂの中央部が天部12の外面から最も離れ，そこから両側方に向かうにしたがって次第に天部12に向けて湾曲するアーチ形状を，摘み部21Ａの先端縁21Ｂに形付けることができる。
【００３７】
上述した実施例および変形例では，加熱箇所Ｈ１，Ｈ２を筋状とし，熱可塑性樹脂23を筋状に収縮させることで摘み部21Ａの先端縁21Ｂを湾曲させているが，紙タブ部材21の引き剥がし方向に沿って一または複数の押し罫（筋状（直線状）の窪み，凹凸ないし溝）を摘み部21Ａに形成し，押し罫によって摘み部21Ａの先端縁21Ｂが湾曲しやすくするようにしてもよい。押し罫は筋状の加熱と同時に摘み部21Ａに入れてもよいし，あらかじめ摘み部21Ａに入れておいてもよい。押し罫についても，加熱箇所Ｈ１，Ｈ２と同様に，同じ長さの押し罫を間隔をあけて複数形成してもよいし（図３参照），中央部に位置する押し罫を最も長く形成し，中央部から両側部のそれぞれに向かうにしたがって短く形成してもよい（図５参照）。押し罫についても，摘み部21Ａの両側部を除いて形成することで均整のとれた湾曲形状が形成されやすくなる。
【符号の説明】
【００３８】
１  飲料用容器
12  天部
14  飲み口（開口）
21  紙タブ部材
21Ａ  摘み部
21Ｂ  先端縁
22  紙基材
23  熱可塑性樹脂
24  抗ヒートシール剤
Ｈ１，Ｈ２  加熱箇所
【図１】
2015199531.tif 000003
【図２】
2015199531.tif 000004
【図３】
2015199531.tif 000005
【図４】
2015199531.tif 000006
【図５】
2015199531.tif 000007